(57)【要約】【課題】袋状の密封容器内に設けた２つ空間部内に２液硬化型樹脂の主剤および硬化剤を収容し、樹脂使用時に主剤および硬化剤を混合する２液混合容器であって、硬化剤の量を調節することが可能な２液混合容器を提供する。【解決手段】袋状の密封容器内１２を着脱可能な仕切り１４で区分けして２つの空間部１６、１８を形成し、各空間部に２液硬化型樹脂の主剤２０および硬化剤２２をそれぞれ収容するとともに、樹脂使用時には上記仕切りを取り外して主剤および硬化剤を混合する２液混合容器において、硬化剤を収容した一方の空間部内をさらに２つの空間部２４、２６に区分けする着脱可能な仕切り２８を設ける。そして、硬化剤を収容した空間部における上記仕切りの取付位置を調節することにより、硬化剤の量を調節する。【選択図】図１
2009274746.tif 000002
【特許請求の範囲】
【請求項１】
袋状の密封容器内を着脱可能な仕切りで区分けして２つの空間部を形成し、各空間部に２液硬化型樹脂の主剤および硬化剤をそれぞれ収容するとともに、樹脂使用時には前記仕切りを取り外して前記主剤および硬化剤を混合する２液混合容器において、硬化剤を収容した一方の空間部内をさらに２つの空間部に区分けする着脱可能な仕切りを設けたことを特徴とする２液混合容器。
【発明の詳細な説明】
【技術分野】
【０００１】
本発明は、袋状の密封容器内に設けた２つ空間部内に２液硬化型樹脂の主剤および硬化剤を収容し、樹脂使用時に主剤および硬化剤を混合する２液混合容器に関する。
【背景技術】
【０００２】
従来、２液硬化型樹脂の主剤および硬化剤を混合する２液混合容器として、袋状の密封容器内を仕切りで区分けして２つの空間部を形成し、２つ空間部内に２液硬化型樹脂の主剤および硬化剤を収容するとともに、樹脂使用時には上記仕切りを取り外して主剤および硬化剤を混合するものが提案されている（例えば、特許文献１参照）。
【０００３】
【特許文献１】特開２００７−２６１６５５号公報
【発明の開示】
【発明が解決しようとする課題】
【０００４】
２液硬化型樹脂を使用する場合、硬化剤の量を少なくして樹脂の硬化速度を遅くしたり、硬化剤の量を多くして樹脂の硬化速度を速くしたりすることが要望されることがある。
【０００５】
しかし、従来の２液混合容器は、硬化剤の量を調節することができないものであった。
【０００６】
本発明は、上述した事情に鑑みてなされたもので、袋状の密封容器内に設けた２つ空間部内に２液硬化型樹脂の主剤および硬化剤を収容し、樹脂使用時に主剤および硬化剤を混合する２液混合容器であって、硬化剤の量を調節することが可能な２液混合容器を提供することを目的とする。
【課題を解決するための手段】
【０００７】
本発明は、前記目的を達成するため、袋状の密封容器内を着脱可能な仕切りで区分けして２つの空間部を形成し、各空間部に２液硬化型樹脂の主剤および硬化剤をそれぞれ収容するとともに、樹脂使用時には前記仕切りを取り外して前記主剤および硬化剤を混合する２液混合容器において、硬化剤を収容した一方の空間部内をさらに２つの空間部に区分けする着脱可能な仕切りを設けたことを特徴とする２液混合容器を提供する。
【０００８】
本発明の２液混合容器は、硬化剤を収容した一方の空間部内をさらに２つの空間部に区分けする着脱可能な仕切りを設けたので、硬化剤を収容した一方の空間部における上記仕切りの取付位置を調節することにより、硬化剤の量を調節することができる。
【０００９】
本発明において、袋状の密封容器の材質、構造、形状に限定はないが、ポリエチレン、ポリプロピレン、ポリエチレンテレフタレート（ＰＥＴ）、ポリ塩化ビニル、ナイロン、ポリエステルセロファン、ナイロンとポリエステルとの積層体等のプラスチックからなるもの、特に透明なプラスチックからなる四角形のものを好適に用いることができる。
【００１０】
本発明において、密封容器内を区分けする仕切りおよび硬化剤を収容した空間部内を区分けする仕切りの材質、構造、形状に限定はないが、側部に長手方向に沿って凹部が形成された断面略Ｕ字状の被嵌合部材と、上記凹部にぴったりと嵌合する棒状の嵌合部材とからなるものを好適に用いることができる。被嵌合部材および嵌合部材の材質としては、プラスチックや金属を用いることができる。
【００１１】
本発明において、２液硬化型樹脂としては、２液硬化型ウレタン接着剤、２液硬化型ウレタン塗料、２液硬化型エポキシ接着剤、２液硬化型アクリル接着剤等を挙げることができるが、これらに限定されるものではない。
【発明の効果】
【００１２】
本発明の２液混合容器は、２液硬化型樹脂の主剤に混合する硬化剤の量を調節することにより、樹脂の硬化速度を調節することができ、したがって硬化剤の量を少なくして樹脂の硬化速度を遅くしたり、硬化剤の量を多くして樹脂の硬化速度を速くしたりするという要望に応えることができる。
【発明を実施するための最良の形態】
【００１３】
以下、本発明の実施の形態を図面を参照して説明するが、本発明は下記例に限定されるものではない。
【００１４】
図１は本発明に係る２液混合容器の一実施形態を示す平面図である。本例の２液混合容器１０は、袋状の密封容器１２内を着脱可能な仕切り１４で区分けして２つの空間部１６、１８を形成し、一方の空間部１６に２液硬化型樹脂の主剤２０を収容するとともに、もう一方の空間部１８に２液硬化型樹脂の硬化剤２２を収容したものである。また、本例では、硬化剤２２を収容した一方の空間部１８内をさらに２つの空間部２４、２６に区分けする着脱可能な仕切り２８を設けてある。
【００１５】
本例において、密封容器１２は、四角形の透明なナイロンとポリエステルを張り合わせたシートの周縁部を固着することにより形成されている。図中３０は固着部を示す。
【００１６】
また、本例において、仕切り１４、２８は、図２の断面図に示すように、側部に長手方向に沿って凹部３２が形成された断面略Ｕ字状の被嵌合部材３４と、上記凹部３２にぴったりと嵌合する丸棒状の嵌合部材３６とからなる。被嵌合部材３４は硬質プラスチックにより形成され、嵌合部材３６は可撓性を有するプラスチックにより形成されている。本例の仕切り１４、２８は、被嵌合部材３４と嵌合部材３６との間に密封容器１２を介在させた状態で凹部３２に嵌合部材３６を嵌合させることにより、空間部１６と空間部１８、空間部２４と空間部２６とをそれぞれ液密に仕切ることができるとともに、凹部３２から嵌合部材３６を取り出すことにより、密封容器１２から取り外すことができるものである。
【００１７】
本例の２液混合容器の使用手順は、以下のとおりである。
（１）硬化剤２２を収容した一方の空間部１８における仕切り２８の取付位置を調節することにより、中央側の空間部２４内の硬化剤２２の量を調節する。
（２）仕切り１４を取り外すことにより、空間部２４と空間部１６とを併合するとともに、密封容器１２を手で揉むなどして空間部１６内の主剤２０と空間部２４内の硬化剤２２とを混合する。
（３）密封容器１２の隅部などに穴を空け、この穴から混合後の２液硬化型樹脂を出して使用する。ただし、別の手段で密封容器１２から混合後の２液硬化型樹脂を出してもよい。
【図面の簡単な説明】
【００１８】
【図１】本発明に係る２液混合容器の一実施形態を示す平面図である。
【図２】図１の２液混合容器の仕切りを示す断面図である。
【符号の説明】
【００１９】
１０  ２液混合容器
１２  密封容器
１４  仕切り
１６、１８  空間部
２０  主剤
２２  硬化剤
２４、２６  空間部
２８  仕切り
【図１】
2009274746.tif 000003
【図２】
2009274746.tif 000004